(57)【特許請求の範囲】
【請求項１】
軸心方向に分割されたピストンを有する油圧シリンダにより駆動される車両用摩擦クラッチの油圧制御装置であって、
前記摩擦クラッチを係合させるために前記油圧シリンダから作動油が流出させられる油路に設けられ、該油圧シリンダ側の圧力が所定の開放圧を超えると前記油圧シリンダからの作動油の流出を許容するブレーキ弁と、
前記摩擦クラッチを開放させるために油圧源からの作動油を前記油圧シリンダへ供給し、該摩擦クラッチを係合させるために該油圧シリンダ内の作動油を流出させる流量制御弁とを、含み、
前記ブレーキ弁は、前記流量制御弁と前記油圧シリンダとの間を接続する制御油路に設けられたものであり、
前記制御油路において前記ブレーキ弁と並列に設けられ、前記流量制御弁から前記油圧シリンダに向かう作動油の流通は許可するが、該油圧シリンダから該流量制御弁に向かう作動油の流通を阻止する一方向弁と、
前記ブレーキ弁と並列に設けられた絞りとを、さらに含み、
前記制御油路に設けられた円筒状の弁室内において該弁室の内壁面に対して所定の間隙を隔てた状態で軸心方向の移動可能に収容され、該弁室内の前記油圧シリンダ側に形成された第１着座面に着座離隔可能に設けられた円筒状弁子と、前記開放圧を設定するために該円筒状弁子を前記第１着座面に向かって所定の付勢力で付勢するスプリングと、該円筒状弁子内の前記油圧シリンダ側とは反対側に設けられた第２着座面に着座離隔可能に該円筒状弁子内に収容された小弁子と、前記円筒状弁子の側壁を貫通するように形成され、前記円筒状弁子が前記第１着座面に着座し且つ前記小弁子が前記第２着座面に着座した状態でも前記円筒状弁室を所定の絞り流通状態とする絞り穴とを備え、前記ブレーキ弁、前記絞り、前記一方向弁としてそれぞれ機能する複合弁装置を、有することを特徴とする車両用摩擦クラッチの油圧制御装置。
【請求項２】
前記開放圧は、前記油圧シリンダから作動油が流出させられる時の作動油の慣性、又は前記車両の挙動により該作動油に加えられる加速度により前記油圧シリンダ内に負圧が発生するときに前記ブレーキ弁の前記油圧シリンダ側に加えられる圧力値よりも大きい値であることを特徴とする請求項１の車両用摩擦クラッチの油圧制御装置。
【請求項３】
前記制御油路に設けられた円筒状の弁室内において該弁室の内壁面に対して所定の間隙を隔てた状態で軸心方向の移動可能に収容され、該弁室内の前記油圧シリンダ側に形成された第１着座面に着座離隔可能に設けられた円筒状弁子と、前記開放圧を設定するために該円筒状弁子を前記第１着座面に向かって所定の付勢力で付勢するスプリングと、該円筒状弁子内の前記油圧シリンダ側とは反対側に設けられた第２着座面に着座離隔可能に該円筒状弁子内に収容された小弁子とを備え、前記ブレーキ弁、前記一方向弁としてそれぞれ機能する複合弁装置を、有することを特徴とする請求項１の車両用摩擦クラッチの油圧制御装置。
【発明の詳細な説明】
【技術分野】
【０００１】
本発明は、車両用摩擦クラッチの油圧制御装置に関し、特に、その車両用摩擦クラッチの開放作動の応答性を向上させる技術に関するものである。
【背景技術】
【０００２】
軸心方向に分割されたピストンを有する油圧シリンダにより駆動される車両用摩擦クラッチの油圧制御装置が知られている。このような車両用摩擦クラッチの油圧制御装置においては、例えばエンジン等の車両用駆動源の振動が摩擦クラッチを介して一対のピストンの一方へ伝達する場合であっても、それら一対のピストン間に微隙間が形成されることで上記振動が一対のピストンの他方へ伝達することが抑制される。そのため、上記振動がピストンと油圧シリンダの圧力室との間に設けられてその圧力室を油密に封止するシール部材に伝達することを抑制することができ、そのシール部材の耐久性が向上する。また、特許文献１には、油圧シリンダの圧力室とその圧力室に作動油を供給するための制御油路との間に設けられた絞り（オリフィス）を有する油圧制御装置が開示されている。
【先行技術文献】
【特許文献】
【０００３】
【特許文献１】特開２００８−１９０７１８号公報
【発明の概要】
【発明が解決しようとする課題】
【０００４】
ところで、前記従来の車両用摩擦クラッチの油圧制御装置では、例えば、前記油圧シリンダから作動油が流出させられる時の作動油の慣性、又は車両の挙動により作動油に加えられる加速度により油圧シリンダの圧力室内に負圧が発生する場合がある。上記油圧シリンダから作動油が流出させられる時の作動油の慣性とは、摩擦クラッチを開放させるために油圧シリンダの圧力室からそれと連通された油路を通して作動油を流出させるときに上記圧力室側から上記油路側へ向かう作動油の慣性のことである。また、上記車両の挙動により作動油に加えられる加速度とは、車両の走行時にその車両に例えば前後加速度や左右加速度が加えられることに応じて、油圧シリンダの圧力室内およびその圧力室と連通された油路内の作動油に加えられる上記圧力室側から上記油路側へ向かう作動油の加速度のことである。これにより、軸心方向に分割された一対のピストンのうち圧力室側に設けられた圧力室側ピストンが、他方のピストンすなわち摩擦クラッチに対してクラッチ操作力を出力する出力側ピストンとは反対側へ移動させられる場合がある。そして、前記振動の伝達を抑制するために必要十分な微隙間を超える比較的大きな隙間が上記一対のピストン間に形成される場合がある。そのような場合には、車両用摩擦クラッチを開放させる際に上記比較的大きな隙間が詰まるまでの間は油圧シリンダの圧力室内の油圧が上昇せず、摩擦クラッチの開放作動が開始されない、という問題が発生する。したがって、車両用摩擦クラッチの開放作動の応答性が低下する場合があった。【０００５】
本発明は以上の事情を背景としてなされたものであり、その目的とするところは、開放作動の応答性を向上させることができる車両用摩擦クラッチの油圧制御装置を提供することにある。
【課題を解決するための手段】
【０００６】
かかる目的を達成するための請求項１にかかる発明の要旨とするところは、（ａ）軸心方向に分割されたピストンを有する油圧シリンダにより駆動される車両用摩擦クラッチの油圧制御装置であって、（ｂ）前記摩擦クラッチを係合させるために前記油圧シリンダから作動油が流出させられる油路に設けられ、前記油圧シリンダ側の圧力が所定の開放圧を超えると前記油圧シリンダからの作動油の流出を許容するブレーキ弁と、（ｃ）前記摩擦クラッチを開放させるために油圧源からの作動油を前記油圧シリンダへ供給し、その摩擦クラッチを係合させるために前記油圧シリンダ内の作動油を流出させる流量制御弁とを、含み、（ｄ）前記ブレーキ弁は、前記流量制御弁と前記油圧シリンダとの間を接続する制御油路に設けられたものであり、（ｅ）前記制御油路において前記ブレーキ弁と並列に設けられ、前記流量制御弁から前記油圧シリンダに向かう作動油の流通は許可するが、その油圧シリンダから前記流量制御弁に向かう作動油の流通を阻止する一方向弁と、（ｆ）前記ブレーキ弁と並列に設けられた絞りとを、さらに含み、（ｇ）前記制御油路に設けられた円筒状の弁室内においてその弁室の内壁面に対して所定の間隙を隔てた状態で軸心方向の移動可能に収容され、前記弁室内の前記油圧シリンダ側に形成された第１着座面に着座離隔可能に設けられた円筒状弁子と、前記開放圧を設定するためにその円筒状弁子を前記第１着座面に向かって所定の付勢力で付勢するスプリングと、前記円筒状弁子内の前記油圧シリンダ側とは反対側に設けられた第２着座面に着座離隔可能に前記円筒状弁子内に収容された小弁子と、前記円筒状弁子の側壁を貫通するように形成され、前記円筒状弁子が前記第１着座面に着座し且つ前記小弁子が前記第２着座面に着座した状態でも前記円筒状弁室を所定の絞り流通状態とする絞り穴とを備え、前記ブレーキ弁、前記絞り、前記一方向弁としてそれぞれ機能する複合弁装置を、有することにある。【０００７】
また、請求項２にかかる発明の要旨とするところは、請求項１にかかる発明において、前記開放圧は、前記油圧シリンダから作動油が流出させられる時の作動油の慣性、又は前記車両の挙動により上記作動油に加えられる加速度により前記油圧シリンダ内に負圧が発生するときに前記ブレーキ弁の前記油圧シリンダ側に加えられる圧力値よりも大きい値であることにある。【００１２】
また、請求項３にかかる発明の要旨とするところは、請求項１にかかる発明において、前記制御油路に設けられた円筒状の弁室内においてその弁室の内壁面に対して所定の間隙を隔てた状態で軸心方向の移動可能に収容され、前記弁室内の前記油圧シリンダ側に形成された第１着座面に着座離隔可能に設けられた円筒状弁子と、前記開放圧を設定するためにその円筒状弁子を前記第１着座面に向かって所定の付勢力で付勢するスプリングと、前記円筒状弁子内の前記油圧シリンダ側とは反対側に設けられた第２着座面に着座離隔可能に前記円筒状弁子内に収容された小弁子とを備え、前記ブレーキ弁、前記一方向弁としてそれぞれ機能する複合弁装置を、有することにある。
【発明の効果】
【００１４】
請求項１にかかる発明の車両用摩擦クラッチの油圧制御装置によれば、前記摩擦クラッチを係合させるために前記油圧シリンダから作動油が流出させられる油路に設けられ、前記油圧シリンダ側の圧力が所定の開放圧を超えると前記油圧シリンダからの作動油の流出を許容するブレーキ弁を含むことから、油圧シリンダから作動油が流出させられる時の作動油の慣性、又は車両の挙動により作動油に加えられる加速度により油圧シリンダの圧力室内に負圧が発生する場合であっても、圧力室内およびその圧力室とブレーキ弁との間の油路内に介在された作動油の流出がブレーキ弁により抑制されるので、上記圧力室内の負圧に起因して油圧シリンダの一対のピストン間に形成される隙間が拡大するのを抑制することができる。そのため、摩擦クラッチを開放させるための作動油の供給に伴う油圧シリンダの圧力室内の油圧の上昇開始が早まるので、摩擦クラッチの開放作動の応答性を向上させることができる。さらに、前記摩擦クラッチを開放させるために油圧源からの作動油を前記油圧シリンダへ供給し、その摩擦クラッチを係合させるために前記油圧シリンダ内の作動油を流出させる流量制御弁を、含むことから、上記流量制御弁を機械的または電気的に制御することで摩擦クラッチの作動を制御することができる。さらに、前記ブレーキ弁は、前記流量制御弁と前記油圧シリンダとの間を接続する制御油路に設けられたものであり、前記制御油路において前記ブレーキ弁と並列に設けられ、前記流量制御弁から前記油圧シリンダに向かう作動油の流通を許可する一方向弁をさらに含むことから、ブレーキ弁が油圧制御装置において油圧シリンダにより近い位置である制御油路に設けられることで油圧シリンダの圧力室内に発生する負圧がより一層低減されて油圧シリンダの一対のピストン間に形成される隙間の拡大がより抑制されるという効果を享受しつつも、摩擦クラッチを開放させるために油圧シリンダに供給される作動油の流通が阻害されないので、摩擦クラッチの開放作動の応答性をより向上させることができる。例えば、摩擦クラッチを開放作動させるときにエンストが生じる可能性が高い場合であっても、摩擦クラッチがより早く開放されることでエンストを防止することができる。また、ブレーキ弁と並列に設けられた絞りを含むことから、ブレーキ弁が開かない場合であっても、油圧シリンダから絞りを通して油圧シリンダの一対のピストン間に微隙間が形成可能な程度に作動油を流出させることができるので、例えば、エンジン等の駆動源の振動が油圧シリンダの一対のピストンを介して油圧シリンダの圧力室を油密に封止するシール部材に伝達するこを抑制することができ、そのシール部材の耐久性を向上させることができる。さらに、前記ブレーキ弁、前記絞り、および前記一方向弁を複合的に備え、それらブレーキ弁、前記絞り、および一方向弁としてそれぞれ機能する複合弁装置を有して構成される。このようにすれば、ブレーキ弁、前記絞り、および一方向弁を小さく構成することができるとともに、それが設けられる油路を短くすることができる。【００１５】
また、請求項２にかかる発明の車両用摩擦クラッチの油圧制御装置によれば、前記開放圧は、前記油圧シリンダから作動油が流出させられる時の作動油の慣性、又は前記車両の挙動により上記作動油に加えられる加速度により前記油圧シリンダ内に負圧が発生するときに前記ブレーキ弁の前記油圧シリンダ側に加えられる圧力値よりも大きい値であることから、上記負圧の発生によりブレーキ弁の油圧シリンダ側に加えられる力によってもブレーキ弁は開かず、上記負圧に起因して油圧シリンダの圧力室から作動油が流出してその油圧シリンダの一対のピストン間の隙間が拡大するのを防止することができるので、摩擦クラッチを開放させるための作動油の供給に伴う油圧シリンダの圧力室内の油圧の上昇開始が早まり、摩擦クラッチの開放作動の応答性を向上させることができる。【００２０】
また、請求項３にかかる発明の車両用摩擦クラッチの油圧制御装置によれば、前記ブレーキ弁および前記一方向弁を複合的に備え、それらブレーキ弁および一方向弁としてそれぞれ機能する複合弁装置を有して構成される。このようにすれば、ブレーキ弁および一方向弁を小さく構成することができるとともに、それが設けられる油路を短くすることができる。
【００２２】
ここで、好適には、前記ブレーキ弁は、油圧シリンダの圧力室に可及的に近い位置に設けられる。例えば、油圧シリンダの圧力室とその圧力室へ作動油を供給するための配管との間に設けられる。このようにすれば、油圧シリンダから作動油が流出させられる時の作動油の慣性、又は車両の挙動により作動油に加えられる加速度により油圧シリンダの圧力室内に発生する負圧がより一層低減されるので、上記圧力室内の負圧に起因して油圧シリンダの一対のピストン間に形成される隙間が拡大するのをより抑制することができる。【００２３】
また、好適には、前記複合弁装置は、前記小弁子を第２着座面に向かって所定の付勢力で付勢するスプリングを備える。このようにすれば、例えば小弁子が自重により第２着座面に着座するように構成されたものと比較して小弁子を安定的に作動させることが可能となるとともに、複合弁装置の設置性が高まる。例えば、振動等により小弁子が動くことで一方向弁の作動が不安定になるのを防止することができる。そして、例えば、小弁子が第２着座面に対して下に位置するように複合弁装置を設置することができる。【００２４】
本明細書中において、並列とは、２つの部材の両端子同士を相互に接続することを意味する。したがって、ブレーキ弁と絞りとが並列に設けられるとは、ブレーキ弁および絞りの油圧シリンダ側のポートが相互に接続されるとともに油圧シリンダとは反対側のポートが相互に接続されることを意味する。また、ブレーキ弁と一方向弁とが並列に設けられるとは、ブレーキ弁および一方向弁の油圧シリンダ側のポートが相互に接続されるとともに油圧シリンダとは反対側のポートが相互に接続されることを意味する。
【図面の簡単な説明】
【００２５】
【図１】本発明の一実施例の車両用摩擦クラッチの油圧制御装置と、それが適用された車両用駆動装置とを示す模式図である。
【図２】図１の車両用摩擦クラッチおよびその周辺部位を示す断面図である。
【図３】図１に示すブレーキ弁および絞りを複合的に備える複合弁装置の一例を具体的に示す断面図であって、絞り流通状態を示す図である。
【図４】図１に示すブレーキ弁および絞りを複合的に備える複合弁装置の一例を具体的に示す断面図であって、開放流通状態を示す図である。
【図５】本発明の他の実施例の油圧制御装置と、それが適用された車両用駆動装置とを示す模式図である。
【図６】図５に示すクラッチシリンダ、そのクラッチシリンダの配管接続部に接続された複合弁装置、およびその複合弁装置に接続された金属配管の一部を示す断面図である。
【図７】図６に示す複合弁装置とその一端部に接続された金属配管の一部とを示す断面図である。
【図８】図７のVIII-VIII矢視部断面を示す断面図である。
【図９】図７に示す複合弁装置において、円筒状弁子が第１着座面に着座し且つ小弁子が第２着座面から離隔させられてストッパ部材の凸部に当接させられた状態の複合弁装置を示す断面図である。
【図１０】図７に示す複合弁装置において、小弁子が第２着座面に着座し且つ円筒状弁子が第１着座面から離隔させられてその小径部がばね受け部材に当接させられた状態の複合弁装置を示す断面図である。
【図１１】本発明の他の実施例の複合弁装置とその一端部に接続された金属配管の一部とを示す断面図であって、実施例２の図７に対応する図である。
【図１２】図１１のXII-XII矢視部断面を示す断面図である。
【図１３】図１１に示す複合弁装置において、円筒状弁子が第１着座面に着座し且つ小弁子が第２着座面から離隔させられてばね受け部材に当接させられた状態の複合弁装置を示す断面図である。
【図１４】図１１に示す複合弁装置において、小弁子が第２着座面に着座し且つ円筒状弁子が第１着座面から離隔させられてその小径部がばね受け部材に当接させられた状態の複合弁装置を示す断面図である。
【図１５】本発明の他の実施例の油圧制御装置と、それが適用された車両用駆動装置とを示す模式図である。
【発明を実施するための形態】
【００２６】
以下、本発明の一実施例を図面を参照して詳細に説明する。なお、以下の実施例において図は適宜簡略化或いは変形されており、各部の寸法比および形状等は必ずしも正確に描かれていない。
【実施例１】
【００２７】
図１は、本発明の一実施例の車両用摩擦クラッチ（以下、摩擦クラッチと記載する）１０の油圧制御装置１２と、それが適用された車両用駆動装置（以下、駆動装置と記載する）１４とを示す模式図である。図１において、駆動装置１４は、駆動源としてのエンジン１６の出力が摩擦クラッチ１０を介して変速機１８へ伝達され、その変速機１８の出力軸２０から図示しないプロペラシャフトおよび差動歯車装置などを介して左右一対の駆動輪に伝達されるように構成されている。本実施例の駆動装置１４は、前置エンジン後輪駆動方式（ＦＲ）の車両に好適に用いられるものである。【００２８】
変速機１８は、例えば、良く知られた平行軸式常時噛合型変速機構を有する有段式変速機であり、電子制御装置２２が備える変速段制御部２２ａによって駆動されるシフトアクチュエータ２４により変速段が切り替えられる。上記切り替えられる変速段は、例えば、車両の運転者により操作される変速段指示装置２３から出力された変速段指示信号に基づいて判断される。【００２９】
上記電子制御装置２２は、ＣＰＵ、ＲＯＭ、ＲＡＭ、及び入出力インターフェースなどから成る所謂マイクロコンピュータを複数含んで構成されており、ＲＡＭの一時記憶機能を利用しつつＲＯＭに予め記憶されたプログラムに従って信号処理を行うことにより、シフトアクチュエータ２４の駆動制御や後述の流量制御弁６２の駆動制御などを実行する。本実施例の電子制御装置２２は、変速機１８の変速段を切り替えるためにシフトアクチュエータ２４を駆動させる変速段制御部２２ａと、後述のクラッチシリンダ４０へ供給する作動油の流量およびクラッチシリンダ４０から流出させる作動油の流量を制御するために流量制御弁６２を駆動させる油圧制御部２２ｂとを備えている。【００３０】
図２は、前記摩擦クラッチ１０およびその周辺部位を示す断面図である。図２において、摩擦クラッチ１０は、良く知られた車両用円板クラッチであって、筒状のクラッチハウジング２６内において図示しないクランク軸に連結されたフライホイール３０と変速機１８の入力軸２８との間の動力伝達経路に設けられている。この摩擦クラッチ１０では、ダイヤフラムスプリング３２の内周端部に対して後述のクラッチシリンダ４０により操作力すなわちクラッチ操作力が作用しない場合には、プレッシャープレート３４がダイヤフラムスプリング３２の外周端部によりフライホイール３０側へ押圧されることでクラッチディスク３６がプレッシャープレート３４とフライホイール３０との間で挟圧される。そして、クラッチディスク３６とフライホイール３０とが摩擦材３８を介して完全に係合させられる。これにより、摩擦クラッチ１０は動力伝達状態とされる。図２はその状態を表している。また、摩擦クラッチ１０では、ダイヤフラムスプリング３２の内周端部がクラッチシリンダ４０によりエンジン１６側に操作される場合には、その操作力すなわちクラッチ操作力に応じてプレッシャープレート３４のクラッチディスク３６への押圧力が変化してクラッチディスク３６とフライホイール３０とが半係合状態から開放状態までの間で変化させられる。そして、上記プレッシャープレート３４のクラッチディスク３６への押圧力が無くなることによりクラッチディスク３６とフライホイール３０とが完全に開放させられる。これにより、摩擦クラッチ１０は動力遮断状態とされる。【００３１】
ダイヤフラムスプリング３２の内周端部の変速機１８側には、本発明の油圧シリンダに相当するクラッチシリンダ４０が設けられている。このクラッチシリンダ４０は、入力軸２８と同軸に設けられた良く知られた所謂同軸型のものであり、入力軸２８の外周側においてクラッチハウジング２６の変速機１８との隔壁２６ａの中央部に固定された筒状のシリンダハウジング４２を備えている。そして、そのシリンダハウジング４２内において入力軸２８の外周側に形成され、油圧制御装置１２から供給された作動油を受け入れる円環状の圧力室４４と、シリンダハウジング４２内に摺動可能に嵌め入れられ、レリーズベアリング４５を介して摩擦クラッチ１０へのクラッチ操作力を出力する円環状の出力側ピストン４６と、その出力側ピストン４６から離間可能に出力側ピストン４６の圧力室４４側に設けられ、その圧力室４４内のクラッチ作動油圧を受けて出力側ピストン４６へ推力を伝達する円環状の圧力室側ピストン４８と、その圧力室側ピストン４８の圧力室４４側に設けられ、圧力室４４を油密に封止するためのシール部材５０とを備えている。上記出力側ピストン４６および圧力室側ピストン４８は、本発明における軸心Ｏ方向に分割されたピストンに相当するものである。【００３２】
上記シリンダハウジング４２は、圧力室４４の外周側において半径方向外側へ突設され、油圧制御装置１２の制御油路５２を構成する金属配管５３に接続されると共にその制御油路５２と圧力室４４とを連通させる連通孔５４が形成された配管接続部４２ａを備えている。【００３３】
このクラッチシリンダ４０では、油圧制御装置１２により作動油が圧力室４４に供給されるか或いは圧力室４４から流出させられることで増減させられる圧力室４４のクラッチ作動油圧に従って、出力側ピストン４６がダイヤフラムスプリング３２の内周端部に対して接近或いは離間させられる。そして、その出力側ピストン４６によりダイヤフラムスプリング３２の内周端部に圧力室４４のクラッチ作動油圧に応じたクラッチ操作力が伝達されるようになっている。摩擦クラッチ１０は、クラッチシリンダ４０により駆動される。【００３４】
なお、本実施例では、クラッチシリンダ４０のピストンは、軸心Ｏ方向に分割されて相互に離間可能な出力側ピストン４６および圧力室側ピストン４８から構成されている。そして、出力側ピストン４６が摩擦クラッチ１０の完全係合状態に対応する位置に位置させられたときには、エンジン１６の振動が摩擦クラッチ１０を介して出力側ピストン４６に伝達される場合であっても、出力側ピストン４６と圧力室側ピストン４８との間に微隙間が形成されることで上記振動が圧力室側ピストン４８およびシール部材５０に伝達するのを防止することができるようになっている。【００３５】
図１に戻って、油圧制御装置１２は、油圧源６０と、摩擦クラッチ１０を開放させるために油圧源６０から作動油をクラッチシリンダ４０の圧力室４４へ供給し、摩擦クラッチ１０を係合させるためにクラッチシリンダ４０の圧力室４４内の作動油を流出させる流量制御弁６２と、電子制御装置２２の油圧制御部２２ｂとを備えている。【００３６】
上記油圧源６０は、オイルタンク６４から作動油を圧送する電動式のオイルポンプ６６と、そのオイルポンプ６６の吐出口に逆止弁６８を介して接続された吐出油路７０に設けられたアキュムレータ７２とを備えている。【００３７】
前記流量制御弁６２は、吐出油路７０に接続されたポンプポートＰと、制御油路５２に接続された制御ポートＣと、ドレン油路７４に接続されたドレンポートＤとを備え、入力された駆動電流に応じて、作動油がポンプポートＰから制御ポートＣへ流通する状態および制御ポートＣからドレンポートＤへ流通する状態を相互に切り替えると共にその流通させられる作動油の流量を連続的に制御するものである。上記制御油路５２は、クラッチシリンダ４０の圧力室４４と流量制御弁６２との間を接続する油路である。【００３８】
上記ドレン油路７４は、流量制御弁６２からオイルタンク６４へ作動油を流出させる油路である。このドレン油路７４は、クラッチシリンダ４０側の圧力が予め設定された所定の開放圧（クラッキング圧）を超えるとクラッチシリンダ４０側からオイルタンク６４側への作動油の流出を許容するブレーキ弁７６と、そのブレーキ弁７６と並列に設けられた絞り７８とを備えている。なお、ドレン油路７４は、本発明において摩擦クラッチ１０を係合させるためにクラッチシリンダ（油圧シリンダ）４０から作動油が流出させられる油路に相当するものである。本実施例の油圧制御装置１２は、上記ブレーキ弁７６および絞り７８としてそれぞれ機能する複合弁装置８０を備えている。【００３９】
図３および図４は、図１に示すブレーキ弁７６および絞り７８を複合的に備える複合弁装置８０の一例を具体的に示す断面図である。図３および図４に示すように、複合弁装置８０は、ドレン油路７４を構成する一対の金属配管８２のうちオイルタンク６４側の金属配管８２の開口内に円筒部材８４が嵌め入れられることで設けられた円筒状の弁室８６を有している。上記円筒部材８４は、その流量制御弁６２側すなわちクラッチシリンダ４０側の端面に形成されたテーパ面８８に対して一対の金属配管８２のうちクラッチシリンダ４０側の金属配管８２の端部に形成されたテーパ面９０が押し付けられた状態で、管接続用ナット９２により固定されている。複合弁装置８０は、弁室８６内においてその弁室８６の内壁面９４に対して所定の間隙を隔てた状態で軸心方向の移動可能に収容され、その弁室８６内のクラッチシリンダ４０側に形成された第１着座面９６に着座離隔可能に設けられた円筒状弁子９８と、前記開放圧を設定するために円筒状弁子９８を第１着座面９６に向かって所定の付勢力で付勢するスプリング１００と、円筒状弁子９８の軸心を貫通するように形成され、その円筒状弁子９８が第１着座面９６に着座した状態でも円筒状の弁室８６を所定の絞り流通状態とする絞り穴１０２とを備えている。この複合弁装置８０では、絞り穴１０２が前記絞り７８として機能し、また、円筒部材８４、円筒状弁子９８、およびスプリング１００が前記ブレーキ弁７６として機能する。【００４０】
上記円筒状弁子９８は、その外周部において周方向の等間隔で半径方向外側へ突き出すと共に軸心方向に連なる複数のガイド部９８ａを備えている。そして、その円筒状弁子９８のオイルタンク６４側に位置する円筒部材８４のオイルタンク６４側の開口内には、底部がオイルタンク６４側に位置させられた有底円筒状のばね受け部材１０４が嵌め入れられている。上記スプリング１００は、予め定められた所定の予荷重を付与された状態で円筒状弁子９８とばね受け部材１０４との間に介在させられている。なお、ばね受け部材１０４の底部には、作動油の流通孔として機能する複数の貫通孔１０６が設けられている。そして、ばね受け部材１０４は、図４に示すようにスプリング１００の予荷重に抗して軸心方向に移動させられた円筒状弁子９８のガイド部９８ａと当接することでその円筒状弁子９８のオイルタンク６４側への移動を規制する【００４１】
図３は、円筒状弁子９８が第１着座面９６に着座させられた状態の複合弁装置８０を示す断面図である。この図３に示す状態では、図中に矢印ａで示すように、作動油が絞り穴１０２を通して移動することで弁室８６が所定の絞り流通状態とされる。【００４２】
これに対して図４は、スプリング１００の予荷重に抗して円筒状弁子９８が第１着座面９６から離隔させられてばね受け部材１０４の端面に当接させられた状態の複合弁装置８０を示す断面図である。この図４に示す状態では、図中に矢印ｂで示すように、作動油が絞り穴１０２に加えて円筒状弁子９８と円筒部材８４との間において周方向に連なる複数の隙間を通して流量制御弁６２（図１参照）側からオイルタンク６４（図１参照）側へ流通することで、ブレーキ弁７６が開放流通状態とされる。【００４３】
ここで、クラッチシリンダ４０から流量制御弁６２を通して作動油が流出させられる時のクラッチシリンダ４０の圧力室４４とブレーキ弁７６との間の油路内の作動油の慣性によりクラッチシリンダ４０の圧力室４４内に負圧が発生するときにおいて、ブレーキ弁７６のクラッチシリンダ４０側に加えられる最大圧力値を第１圧力値とする。また、車両の挙動により圧力室４４とブレーキ弁７６との間の油路内の作動油に加えられる加速度によりクラッチシリンダ４０の圧力室４４内に負圧が発生するときにおいて、ブレーキ弁７６のクラッチシリンダ４０側に加えられる最大圧力値を第２圧力値とする。前記開放圧は、例えばスプリング１００の予荷重を設定することで上記第１圧力値および第２圧力値のうち大きい値よりも大きくなるように設定される。上記第１圧力値および第２圧力値は、例えば実験的に求められる。したがって、例えば図４に示すように円筒状弁子９８が第１着座面９６から離隔させられるのは、円筒状弁子９８のクラッチシリンダ４０側に加えられる圧力値が上記開放圧を超えるときである。【００４４】
本実施例の摩擦クラッチ１０の油圧制御装置１２によれば、摩擦クラッチ１０を係合させるためにクラッチシリンダ（油圧シリンダ）４０から流量制御弁６２を通して作動油が流出させられるドレン油路７４に設けられ、クラッチシリンダ４０側の圧力が所定の開放圧を超えるとそのクラッチシリンダ４０側からオイルタンク６４側への作動油の流出を許容するブレーキ弁７６を含む。このため、クラッチシリンダ４０から作動油が流出させられる時の作動油の慣性、又は車両の挙動により作動油に加えられる加速度によりクラッチシリンダ４０の圧力室４４内に負圧が発生する場合であっても、圧力室４４内およびその圧力室４４とブレーキ弁７６との間の油路内に介在された作動油の流出がブレーキ弁７６により抑制されるので、上記圧力室４４内の負圧に起因するクラッチシリンダ４０の出力側ピストン４６と圧力室側ピストン４８との間に形成される隙間が拡大するのを抑制することができる。そのため、摩擦クラッチ１０を開放させるための圧力室４４への作動油の供給に伴うクラッチシリンダ４０の圧力室４４の昇圧開始が早まるので、摩擦クラッチ１０の開放作動の応答性を向上させることができる。【００４５】
また、前記開放圧は、スプリング１００の予荷重を設定することにより、クラッチシリンダ４０から作動油が流出させられる時の作動油の慣性、および車両の挙動により上記作動油に加えられる加速度によりクラッチシリンダ４０内に負圧が発生するときにブレーキ弁７６の円筒状弁子９８のクラッチシリンダ側に加えられる最大圧力値（第１圧力値および第２圧力値のうち大きい値）よりも大きくなるように設定されることから、上記負圧の発生により円筒状弁子９８のクラッチシリンダ４０側に加えられる力によってもブレーキ弁７６は開かず、上記負圧に起因してクラッチシリンダ４０の圧力室４４から作動油が流出してそのクラッチシリンダ４０の出力側ピストン４６と圧力室側ピストン４８との間の隙間が拡大するのを防止することができる。そのため、摩擦クラッチ１０を開放させるためのクラッチシリンダ４０への作動油の供給に伴う圧力室４４内の昇圧開始が早まるので、摩擦クラッチ１０の開放作動の応答性を向上させることができる。【００４６】
また、ブレーキ弁７６と並列に設けられた絞り７８を含むことから、ブレーキ弁７６が開かない場合であっても、クラッチシリンダ４０の圧力室４４から絞り７８を通してそのクラッチシリンダ４０の出力側ピストン４６と圧力室側ピストン４８との間に振動伝達抑制のための微隙間が形成可能な程度に作動油を移動させることができるので、例えばエンジン１６等の振動が出力側ピストン４６および圧力室側ピストン４８を介してシール部材５０に伝達することを抑制することができ、そのシール部材５０の耐久性を向上させることができる。【００４７】
また、摩擦クラッチ１０を開放させるために油圧源６０からの作動油をクラッチシリンダ４０の圧力室４４へ供給し、その摩擦クラッチ１０を係合させるためにクラッチシリンダ４０の圧力室４４内の作動油を流出させる流量制御弁６２を、含むことから、その流量制御弁６２を電気的に制御することで摩擦クラッチ１０の作動を制御することができる。具体的には、流量制御弁６２に入力される駆動電流を調節することで、その駆動電流に応じて、油圧源６０からクラッチシリンダ４０へ作動油を供給する状態およびクラッチシリンダ４０からオイルタンク６４へ作動油を流出させる状態を切り替えると共に、その流通させられる作動油の流量を連続的に制御することで、クラッチシリンダ４０の摩擦クラッチ１０に対するクラッチ操作力を制御し、摩擦クラッチ１０の作動を制御することができる。【００４８】
また、ブレーキ弁７６がドレン油路７４に設けられることで、摩擦クラッチ１０を開放させるためにクラッチシリンダ４０に供給する作動油の流通が阻害されないので、摩擦クラッチ１０の開放作動の応答性をより向上させることができ、例えば、摩擦クラッチ１０の開放作動の際にエンストが生じる可能性が高いような場合であっても、摩擦クラッチ１０がすばやく開放されることでエンストを防止することができる。【００４９】
また、ブレーキ弁７６および絞り７８としてそれぞれ機能する複合弁装置８０が設けられていることから、それらブレーキ弁７６および絞り７８を小さく構成することができ、ドレン油路７４を短くすることができる。【００５０】
また、本実施例のように前置エンジン後輪駆動方式（ＦＲ）の車両では、油圧制御装置１２の油路たとえば制御油路５２やドレン油路７４が車両の前後方向へ長くなり、車両の前後加速によりクラッチシリンダ４０の圧力室４４内およびそれに連通された油路内の作動油に加えられる前後加速度が大きくなるため、上記前後加速度に起因して圧力室４４内に発生する負圧も大きくなるが、そのような場合であっても好適に出力側ピストン４６と圧力室側ピストン４８との間に形成される隙間の拡大を抑制することができる。
【実施例２】
【００５１】
次に、本発明の他の実施例について説明する。なお、以下の実施例の説明において、実施例相互に重複する部分については、同一の符号を付してその説明を省略する。【００５２】
図５は、本発明の他の実施例の油圧制御装置１２と、それが適用された車両用駆動装置１４とを示す模式図である。図５に示すように、本実施例の油圧制御装置１２のドレン油路７４は、複合弁装置８０を備えず、流量制御弁６２のドレンポートＤとオイルタンク６４とを常時連通状態で接続している。また、本実施例の制御油路５２は、ブレーキ弁７６と、そのブレーキ弁７６に並列に設けられた絞り７８と、ブレーキ弁７６および絞り７８に対して並列に設けられ、図５中において矢印ｃで示す流量制御弁６２からクラッチシリンダ４０に向かう作動油の流通は許可するが、図５中において矢印ｄで示すクラッチシリンダ４０から流量制御弁６２に向かう作動油の流通を阻止する一方向弁１１０とを備えている。なお、本実施例では、制御油路５２が本発明において摩擦クラッチ１０を係合させるためにクラッチシリンダ４０から作動油が流出させられる油路に相当する。本実施例の油圧制御装置１２は、上記ブレーキ弁７６、絞り７８、および一方向弁１１０としてそれぞれ機能する複合弁装置１１２を備えている。【００５３】
図６は、図５に示すクラッチシリンダ４０、そのクラッチシリンダ４０の配管接続部４２ａに接続された複合弁装置１１２、およびその複合弁装置１１２に接続された金属配管５３の一部を示す断面図である。図６に示すように、本実施例の配管接続部４２ａは、圧力室４４の外周側において半径方向外側の下方へ突き出して設けられている。複合弁装置１１２は、配管接続部４２ａと金属配管５３とを相互に連結すると共に制御油路５２の一部を構成する円筒部材１１３を備えている。【００５４】
図７は、図６に示す複合弁装置１１２とその一端部に接続された金属配管５３の一部とを示す断面図である。また、図８は、図７のVIII-VIII矢視部断面を示す断面図である。図７および図８において、前記複合弁装置１１２は、円筒部材１１３内に形成された円筒状の弁室１１４内において、その弁室１１４の内壁面１１５に対して所定の間隙を隔てた状態で軸心方向の移動可能に収容され、その弁室１１４内のクラッチシリンダ４０側に形成された第１着座面１１６に着座離隔可能に設けられた円筒状弁子１１８を備えている。この円筒状弁子１１８は、その外周部において周方向の等間隔で半径方向外側へ突き出すと共に軸心方向に連なる複数のガイド部１１８ａと、内壁面１１５およびスプリング１２０の内径よりも小径であって、流量制御弁６２側すなわちオイルタンク６４側に向けて軸心方向に突き出す円筒状の小径部１１８ｂとを有している。上記小径部１１８ｂには、周方向に等間隔で半径方向に貫通させられた作動油の流通孔として機能する複数の貫通孔１２０が設けられている。【００５５】
また、複合弁装置１１２は、円筒状弁子１１８のクラッチシリンダ４０側とは反対側すなわち流通制御弁６２側に設けられた円環板状のばね受け部材１２２と円筒状弁子１１８との間に介在させられて、前記開放圧を設定するために円筒状弁子１１８を第１着座面１１６に向かって所定の付勢力で付勢するスプリング１２４を備えている。上記ばね受け部材１２２には、軸心方向に貫通させられた作動油の流通孔として機能する貫通孔１２６が設けられている。【００５６】
また、複合弁装置１１２は、円筒状弁子１１８内のクラッチシリンダ４０側とは反対側に設けられたテーパ状の第２着座面１２８に着座離隔可能に円筒状弁子１１８内に収容された球状の小弁子１３０と、円筒状弁子１１８の側壁としての側壁部１１８ｃを貫通するように形成され、円筒状弁子１１８が第１着座面１１６に着座し且つ小弁子１３０が第２着座面１２８に着座した状態でも弁室１１４を所定の絞り流通状態とする絞り穴１３２とを備えている。上記小弁子１３０のクラッチシリンダ４０側であって円筒状弁子１１８のクラッチシリンダ４０側の開口内には、クラッチシリンダ４０側に移動させられた小弁子１３０と当接することでその小弁子１３０が円筒状弁子１１８から抜け出すことを防止するストッパ部材１３４が設けられている。このストッパ部材１３４は、小弁子１３０と当接させられた状態であっても円筒状弁子１１８内の作動油の流通を阻害しないように形成されている。具体的には、ストッパ部材１１８は、円筒状弁子１１８の開口内に嵌め着けられた短円筒部１３４ａと、その内周部から周方向の等間隔に半径方向内側に向けて突き出す複数の凸部１３４ｂとを備えている。上記複数の凸部１３４ｂは、円筒状弁子１１８の軸心に直交する方向において対向する一対の凸部１３４ｂ間の間隔が小弁子１３０の直径よりも小さくなるように配設されている。小弁子１３０は、ストッパ部材１１８の凸部１３４ｂに当接することで円筒状弁子１１８内から抜け出ないようになっている。【００５７】
このように構成される複合弁装置１１２では、絞り穴１３２が前記絞り７８として機能し、また、円筒部材１１３の第１着座面１１６、円筒状弁子１１８、およびスプリング１２４が前記ブレーキ弁７６として機能し、また、円筒状弁子１１８の第２着座面１２８および小弁子１３０が一方向弁１１０として機能する。【００５８】
図７は、円筒状弁子１１８が第１着座面１１６に着座し且つ小弁子１３０が第２着座面１２８に着座した状態の複合弁装置１１２を示す断面図である。この図７に示す状態では、図中に矢印ｅで示すように、作動油が絞り穴１３２を通して移動することで弁室１１４が所定の絞り流通状態とされる。【００５９】
これに対して図９は、円筒状弁子１１８が第１着座面１１６に着座し且つ小弁子１３０が第２着座面１２８から離隔させられてストッパ部材１３４の凸部１３４ｂに当接させられた状態の複合弁装置１１２を示す断面図である。この図９に示す状態では、図中に矢印ｆで示すように、作動油が絞り穴１３２に加えて小弁子１３０とストッパ部材１３４の凸部１３４ｂとの間に形成される複数の隙間を通して流量制御弁６２（図５参照）側からクラッチシリンダ４０（図５参照）側へ流通することで、一方向弁１１０の開放流通状態とされる。【００６０】
また、図１０は、小弁子１３０が第２着座面１２８に着座し且つ円筒状弁子１１８がスプリング１３０の予荷重に抗して第１着座面１１６から離隔させられてその小径部１１８ｂがばね受け部材１２２に当接させられた状態の複合弁装置１１２を示す断面図である。この図１０に示す状態では、図中に矢印ｇで示すように、作動油が絞り穴１３２に加えて円筒状弁子１１８と円筒部材１１３との間において周方向に連なる複数の隙間、および貫通孔１２６をそれぞれ通してクラッチシリンダ４０（図５参照）側から流量制御弁６２（図５参照）側へ流通することで、ブレーキ弁７６の開放流通状態とされる。【００６１】
なお、本実施例の複合弁装置１１２においても、クラッチシリンダ４０の圧力室４４とブレーキ弁７６との間の圧力が所定の開放圧を超えると圧力室４４からの作動油の流出が許容されるようになっている。そして、例えば、スプリング１２４の予荷重を設定することで前記開放圧が前記第１圧力値および第２圧力値のうち大きい値よりも大きくなるように設定される。したがって、例えば図１０に示すように円筒状弁子１１８が第１着座面１１６から離隔させられるのは、円筒状弁子１１８およびストッパ部材１３４のクラッチシリンダ４０側に加えられる圧力値が上記開放圧を超えるときである。【００６２】
本実施例の摩擦クラッチ１０の油圧制御装置１２によれば、上記以外の構成は前述の実施例１と同じであり、摩擦クラッチ１０を係合させるためにクラッチシリンダ４０から作動油が流出させられるドレン油路７４としての制御油路５２に設けられ、クラッチシリンダ４０側の圧力が所定の開放圧を超えるとそのクラッチシリンダ４０側からオイルタンク６４側への作動油の流出を許容するブレーキ弁７６を含むことから、クラッチシリンダ４０の圧力室４４内に負圧が発生する場合であっても、その負圧に起因するクラッチシリンダ４０の出力側ピストン４６と圧力室側ピストン４８との間に形成される隙間の拡大を抑制することができる。そのため、実施例１と同様に、摩擦クラッチ１０を開放させるための圧力室４４への作動油の供給開始とともにその圧力室４４内の昇圧が開始されるので、摩擦クラッチ１０の開放作動の応答性を向上させることができるという効果が得られる。【００６３】
また、ブレーキ弁７６は、流量制御弁６２とクラッチシリンダ４０との間を接続する制御油路５２に設けられたものであり、その制御油路５２においてブレーキ弁７６および絞り７８とそれぞれ並列に設けられ、流量制御弁６２からクラッチシリンダ４０に向かう作動油の流通を許可する一方向弁１１０を含むことから、ブレーキ弁７６がクラッチシリンダ４０により近い位置に設けられることでクラッチシリンダ４０の圧力室４４内に発生する負圧がより一層低減されて、クラッチシリンダ４０の出力側ピストン４６と圧力室側ピストン４８との間に形成される隙間の拡大がより抑制されるという効果を享受しつつ、摩擦クラッチ１０を開放させるためにクラッチシリンダ４０に供給される作動油の流通が阻害されないので、摩擦クラッチ１０の開放作動の応答性をより向上させることができる。例えば、摩擦クラッチ１０の開放作動の際にエンストが生じる可能性が高いような場合であっても、摩擦クラッチ１０がすばやく開放されることでエンストを防止することができる。【００６４】
また、ブレーキ弁７６、絞り７８、および一方向弁１１０としてそれぞれ機能する複合弁装置１１２が設けられていることから、それらブレーキ弁７６、絞り７８、および一方向弁１１０を小型に構成することができ、制御油路５２を短くすることができる。
【実施例３】
【００６５】
図１１は、本発明の他の実施例の複合弁装置１４０とその両端部に接続されたシリンダハウジング４２の配管接続部４２ａおよび金属配管５３の一部とを示す断面図であって、前述の実施例２の図７に対応する図である。また、図１２は、図１１のXII-XII矢視部断面を示す断面図である。図１１および図１２において、複合弁装置１４０は、配管接続部４２ａと金属配管５３とを相互に連結すると共に制御油路５２の一部を構成する円筒部材１４２を備えている。【００６６】
また、複合弁装置１４０は、円筒部材１４２内に形成された円筒状の弁室１４４内において、その弁室１４４の内壁面１４６に対して所定の間隙を隔てた状態で軸心方向の移動可能に収容され、その弁室１４４内のクラッチシリンダ４０側に形成された第１着座面１４８に着座離隔可能に設けられた円筒状弁子１５０を備えている。本実施例の円筒状弁子１５０は、前述の実施例２の円筒状弁子１１８に比較して、ガイド部１５０ａ、小径部１５０ｂ、および側壁部１１８ｃの軸心方向の長さが長く形成され、また、小径部１５０ｂの軸心方向の２箇所に周方向の等間隔で半径方向に貫通させられた作動油の流通孔として機能する複数の貫通孔１５２が設けられていること以外は、同じ構成である。【００６７】
また、複合弁装置１４０は、ばね受け部材１２２と円筒状弁子１５０との間に介在させられて、前記開放圧を設定するために円筒状弁子１５０を第１着座面１４８に向かって所定の付勢力で付勢するスプリング１１５４と、円筒状弁子１５０内のクラッチシリンダ４０側とは反対側に設けられたテーパ状の第２着座面１５６に着座離隔可能に円筒状弁子１５０内に収容された段付円筒状の小弁子１５８と、円筒状弁子１５０の側壁としての側壁部１５０ｃを貫通するように形成され、円筒状弁子１５０が第１着座面１４８に着座し且つ小弁子１５８が第２着座面１５６に着座した状態でも弁室１４４を所定の絞り流通状態とする絞り穴１６０とを備えている。【００６８】
上記小弁子１５８は、クラッチシリンダ４０側が小径となる段付円筒状部材であって、クラッチシリンダ４０側とは反対側の端面に第２着座面１５６と対向するテーパ状の当接面１６２を有しており、所謂ポペットとも称されるものである。この小弁子１５８のクラッチシリンダ４０側であって円筒状弁子１５０のクラッチシリンダ側の開口内には、円板状のばね受け部材１６４が嵌め着けられている。そして、複合弁装置１４０は、ばね受け部材１６４と小弁子１５８の段付部端面との間に予め定められた予荷重と付与された状態で介在させられ、小弁子１５８を第２着座面１５６に向かって所定の付勢力で付勢するスプリング１６６を備えている。上記ばね受け部材１６４は、スプリング１６６の予荷重に抗してクラッチシリンダ４０側に移動させられた小弁子１５８と当接することでその小弁子１５８が円筒状弁子１５０から抜け出すことを防止しつつも、その小弁子１５８と当接させられた状態において円筒状弁子１５０内の作動油の流通を阻害しないように形成されている。具体的には、ばね受け部材１６４は、軸心と平行な方向に貫通させられて作動油の流通孔として機能する複数の貫通孔１６８を有している。なお、【００６９】
このような複合弁装置１４０では、絞り穴１６０が前記絞り７８として機能し、また、円筒部材１４２の第１着座面１４８、円筒状弁子１５０、およびスプリング１５４が前記ブレーキ弁７６として機能し、また、円筒状弁子１５０の第２着座面１５６、小弁子１５８、およびスプリング１６６が一方向弁１１０として機能する。なお、本実施例では、スプリング１６６に付与される予荷重は、スプリング１５４に付与される予荷重よりも小さく設定される。これにより、一方向弁１１０の開放圧はブレーキ弁７６の開放圧よりも小さくされる。【００７０】
図１１は、円筒状弁子１５０が第１着座面１４８に着座し且つ小弁子１５８が第２着座面１５６に着座した状態の複合弁装置１４０を示す断面図である。この図１１に示す状態では、図中に矢印ｈで示すように、作動油が絞り穴１６０を通して移動することで弁室１４４が所定の絞り流通状態とされる。【００７１】
これに対して図１３は、円筒状弁子１５０が第１着座面１４８に着座し且つ小弁子１５８がスプリング１６６の予荷重に抗して第２着座面１５６から離隔させられてばね受け部材１６４に当接させられた状態の複合弁装置１４０を示す断面図である。この図１３に示す状態では、図中に矢印ｉで示すように、作動油が絞り穴１６０に加えてストッパ部材１６４の貫通孔１６８を通して流量制御弁６２（図５参照）側からクラッチシリンダ４０（図５参照）側へ流通することで、一方向弁１１０の開放流通状態とされる。【００７２】
また、図１４は、小弁子１５８が第２着座面１５６に着座し且つ円筒状弁子１５０がスプリング１５４の予荷重に抗して第１着座面１４８から離隔させられてその小径部１５０ｂがばね受け部材１２２に当接させられた状態の複合弁装置１４０を示す断面図である。この図１４に示す状態では、図中に矢印ｊで示すように、作動油が絞り穴１６０に加えて円筒状弁子１５０と円筒部材４２との間において周方向に連なる複数の隙間、および複数の貫通孔１５２をそれぞれ通してクラッチシリンダ４０（図５参照）側から流量制御弁６２（図５参照）側へ流通することで、ブレーキ弁７６の開放流通状態とされる。【００７３】
なお、本実施例の複合弁装置１４０においても、クラッチシリンダ４０の圧力室４４とブレーキ弁７６との間の圧力が所定の開放圧を超えると圧力室４４からの作動油の流出が許容されるようになっている。そして、例えば、スプリング１５４の予荷重を設定することでブレーキ弁７６の開放圧が前記第１圧力値および第２圧力値のうち大きい値よりも大きくなるように設定される。したがって、例えば図１４に示すように円筒状弁子１５０が第１着座面１４８から離隔させられるのは、円筒状弁子１５０およびばね受け部材１６４のクラッチシリンダ４０側に加えられる圧力値が上記開放圧を超えるときである。【００７４】
本実施例の摩擦クラッチ１０の油圧制御装置１２によれば、上記以外の構成は前述の実施例２と同じであることから、実施例１および２と同様に、クラッチシリンダ４０の圧力室４４内の負圧に起因するクラッチシリンダ４０の出力側ピストン４６と圧力室側ピストン４８との間に形成される隙間の拡大を抑制することができ、摩擦クラッチ１０の開放作動の応答性を向上させることができるという効果が得られる。【００７５】
また、本実施例の複合弁装置１４０は、小弁子１５８を円筒状弁子１５０の第２着座面１５６に向かって所定の付勢力で付勢するスプリング１６６を備えることから、例えば前述の実施例２のように小弁子１３０が自重により第２着座面１２８に着座するように構成されたものに比較して、一方向弁１１０を安定的に作動させることができると共に複合弁装置１４０の設置性が高まる。例えば、振動等によって小弁子１５８が動くことで一方向弁１１０の作動が不安定になることを防止することができる。また、本実施例では、小弁子１５８が第２着座面１５６に対して上に位置するように設置されているが、例えば、スプリング１６６による小弁子１５８への付勢力がその小弁子１５８の自重による力よりも大きくなるように設定されることで、小弁子１５８が第２着座面１５６に対して下に位置するように複合弁装置１４０を設置することも可能となる。【００７６】
以上、本発明の一実施例を図面を参照して詳細に説明したが、本発明はこの実施例に限定されるものではなく、別の態様でも実施され得る。【００７７】
例えば、前述の実施例において、変速機１８は、良く知られた平行軸式常時噛合型変速機構を有する有段式変速機であり且つ運転者により操作される変速段指示装置２３により変速段が切り替えられる手動変速機であったが、例えば予め記憶された関係から例えば車速と駆動力関連値とに基づいて電子制御装置２２により変速段が切り替えられる自動変速機であっても、また、例えばＣＶＴ等の無段変速機であってもよい。【００７８】
また、前述の実施例では、車両が前置エンジン後輪駆動方式（ＦＲ）のものであったが、例えば前置エンジン前輪駆動方式（ＦＦ）や後置エンジン後輪駆動方式（ＲＲ）等のその他の駆動方式の車両であってもよい。また、二輪駆動方式の車両に限らず、四輪駆動方式の車両であっても本発明が適用可能である。【００７９】
また、前述の実施例において、車両用駆動装置１４は、エンジン１６の後段側に順に摩擦クラッチ１０、変速機１８、図示しないプロペラシャフトおよび差動歯車装置を備えて構成されていたが、例えば、エンジン１６の後段側に順に摩擦クラッチ１０、上記プロペラシャフト、変速機１８、および上記差動歯車装置を備え、車両後方に位置する変速機１８に設けられたオイルポンプ６６で発生させられたクラッチ作動油圧が、そのオイルポンプ６６から車両前方に位置する摩擦クラッチ１０に設けられたクラッチシリンダ４０まで接続された制御油路５２を通してそのクラッチシリンダ４０まで供給されるように構成されてもよい。このような場合には、制御油路５２が特に車両前後方向に長くなるために、クラッチシリンダ４０から作動油が流出させられる時の制御油路５２内の作動油の慣性、および車両の前方加速度により制御油路５２内の作動油に加えられる加速度が大きくなる。そのため、クラッチシリンダ４０の圧力室４４内に発生する負圧が大きくなるが、そのような場合であっても、本発明によれば、上記圧力室４４内の比較的大きな負圧に起因してクラッチシリンダ４０の出力側ピストン４６と圧力室側ピストン４８との間に形成される隙間が拡大するのを抑制することができる。言い換えれば、上記のようにクラッチシリンダ４０の圧力室４４内に発生する負圧が大きいほど本発明の隙間の拡大を抑制するという効果が顕著に現れる。【００８０】
また、前述の実施例において、複合弁装置１１２および１４０は絞り穴１３２および１６０を備え、それら複合弁装置１１２および１４０は絞り７８として機能するものであったが、必ずしも絞り穴１３２および１６０を備える必要はなく、それにより複合弁装置１１２および１４０が絞り７８として機能する必要もない。【００８１】
また、前述の実施例において、開放圧は、前記第１圧力値および第２圧力値のうち大きい値よりも大きくなるように設定されていたが、必ずしもそのように設定する必要はない。例えば、第１圧力値よりも大きい値に設定されてもよいし、第２圧力値よりも大きい値に設定されてもよいし、それら第１圧力値や第２圧力値よりも小さい値に設定されてもよい。それでも一応の効果は得られる。【００８２】
また、前述の実施例３の複合弁装置１１２は、小弁子１５８の当接面１６２が第２着座面１５６よりも上に位置するように配設されていたが、必ずしもこのように配設する必要はない。例えば当接面１６２が第２着座面１５６よりも下に位置するように配設されてもよい。【００８３】
また、前述の実施例において、変速機１８は、変速段指示装置２３からの指示に従って作動するシフトアクチュエータ２４により変速段が切り替えられるように構成されていたが、例えば、図１５に示すように変速機１８と機械的に連結された変速段指示装置２３の操作に応じて変速段が切り替えられるように構成されてもよい。【００８４】
また、前述の実施例において、油圧制御装置１２は、電動式のオイルポンプ６６等を有する油圧源６０を有し、作動油がその油圧源６０から電気的に駆動させられる流量制御弁６２を介してクラッチシリンダ４０に供給されるように構成されていたが、例えば、図１５に示すように、運転者により操作されるクラッチペダル１７０の操作量に応じてストロークさせられて油圧を発生させる良く知られたクラッチマスターシリンダ１７２を油圧源として備え、そのクラッチマスターシリンダ１７２からクラッチシリンダ４０へ作動油が供給されるように構成されてもよい。【００８５】
また、前述の実施例において、クラッチシリンダ４０は、ダイヤフラムスプリング３２側から順に、出力側ピストン４６と、圧力室側ピストン４８と、シール部材５０とを備えていたが、これに限らず、例えば、圧力室側ピストン４８が備えられず、シール部材５０が圧力室側ピストン４８を兼ねて構成されてもよいし、また、圧力室側ピストン４８とシール部材５０とが一体的に構成されてもよいし、また、出力側ピストン４６と圧力室側ピストン４８とシール部材５０とが一体的に構成されてもよい等、種々の態様が可能である。【００８６】
また、前述の実施例において、クラッチシリンダ４０は、振動の伝達抑制のための微隙間が出力側ピストン４６と圧力室側ピストン４８との間に形成されるように構成されていたが、例えば、圧力室側ピストン４８とシール部材５０との間に形成されるように構成されてもよい。要するに、上記微間隙は、ダイヤフラムスプリング３２とシール部材５０との間に形成されるように構成されていればよい。【００８７】
なお、上述したのはあくまでも一実施形態であり、その他一々例示はしないが、本発明は、その主旨を逸脱しない範囲で当業者の知識に基づいて種々変更、改良を加えた態様で実施することができる。
【符号の説明】
【００８８】
１０：車両用摩擦クラッチ
１２：油圧制御装置
４０：クラッチシリンダ（油圧シリンダ）
４６：出力側ピストン（ピストン）
４８：圧力室側ピストン（ピストン）
５２：制御油路（油圧シリンダから作動油が流出させられる油路）
６０：油圧源
６２：流量制御弁
７４：ドレン油路（油圧シリンダから作動油が流出させられる油路）
７６：ブレーキ弁
７８：絞り
１１０：一方向弁
１１２，１４０：複合弁装置
１１４，１４４：弁室
１１５，１４６：内壁面
１１６，１４８：第１着座面
１１８，１５０：円筒状弁子
１１８ｃ，１５０ｃ：側壁部（側壁）
１２４，１５４：スプリング
１２８，１５６：第２着座面
１３０，１５８：小弁子
１３２，１６０：絞り穴
Ｏ：軸心
【図１】
0005445588.tif 000002
【図２】
0005445588.tif 000003
【図３】
0005445588.tif 000004
【図４】
0005445588.tif 000005
【図５】
0005445588.tif 000006
【図６】
0005445588.tif 000007
【図７】
0005445588.tif 000008
【図８】
0005445588.tif 000009
【図９】
0005445588.tif 000010
【図１０】
0005445588.tif 000011
【図１１】
0005445588.tif 000012
【図１２】
0005445588.tif 000013
【図１３】
0005445588.tif 000014
【図１４】
0005445588.tif 000015
【図１５】
0005445588.tif 000016